(57)【要約】【課題】  光ディスクの厚さのばらつきを間接的に測定することによって、その測定値に応じてフォーカスオフセットを変更して記録及び再生の性能を向上することができる光ディスク記録再生機を提供する。【解決手段】  フォーカスエラー信号を全加算信号で除した比率を算出し、光ディスクの厚さのばらつきを間接的に測定し、その値と予め設定した第１の閾値と比較し、許容範囲を超えている場合には予め学習によって設定したフォーカスオフセット調整値テーブルから適当な値を選択しフォーカスオフセットを調整することによって、再生波形のジッタが小さくなり記録及び再生の性能を向上することができる。【選択図】  図１
2008059703.tif 000002
【特許請求の範囲】
【請求項１】
光ディスクの情報記録面上にレーザ光を集光させるための対物レンズと前記光ディスクからの反射光を受光する分割された受光部を備えた光検出器とを有する光ピックアップと、
前記光検出器の出力信号からフォーカスエラー信号を生成するフォーカスエラー信号生成手段と、
前記光検出器の出力信号から全加算信号を生成する全加算信号生成手段と、
前記フォーカスエラー信号と前記全加算信号との比率を算出する比率算出手段と、
前記比率算出手段によって得られた前記比率と予め設定された第１の閾値とを比較する比較手段と、
前記比較手段によって算出された値に応じて前記対物レンズのフォーカス点と前記フォーカスエラー信号によるフォーカス点とのずれ量を補正するフォーカスオフセット調整値を設定するフォーカスオフセット調整手段と
を有することを特徴とする光ディスク記録再生装置。
【請求項２】
さらに複数の所定のフォーカスオフセット調整値を記憶するフォーカスオフセット調整値記憶手段を有する請求項１記載の光ディスク記録再生装置。
【請求項３】
光ディスクの情報記録面上にレーザ光を集光させるための対物レンズと前記光ディスクからの反射光を受光する分割された受光部を備えた光検出器とを有する光ピックアップと、
前記光検出器の出力信号からフォーカスエラー信号を生成するフォーカスエラー信号生成手段と、
前記光検出器の出力信号から全加算信号を生成する全加算信号生成手段と、
前記光検出器の出力信号から再生信号を生成する再生信号生成手段と
前記フォーカスエラー信号と前記全加算信号との比率を算出する比率算出手段と、
前記比率算出手段によって得られた前記比率と予め設定された第１の閾値とを比較する比較手段と、
前記比較手段によって算出された値に応じて前記再生信号の高域成分の振幅の大きさを調整するＲＦイコライザ調整値を設定するＲＦイコライザ調整手段と
を有することを特徴とする光ディスク記録再生装置。
【請求項４】
さらに複数の所定のＲＦイコライザ調整値を記憶するＲＦイコライザ調整値記憶手段を有する請求項３記載の光ディスク記録再生装置。
【発明の詳細な説明】
【技術分野】
【０００１】
本発明は、ＣＤ、ＤＶＤまたはＨＤ ＤＶＤなどを扱う光ディスク記録再生装置に関する。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスクＨＤ ＤＶＤ（High Density Digital Versatile Disk)も実用化されている。
【０００３】
記録密度の向上のために光ディスクのトラックピッチやピットピッチが小さくなると共に、対物レンズの開口率増大、レーザ光の短波長化によって、光ディスクの基板保護層の厚さ（光ディスクの外表面から記録層までの距離であって以後基板の厚さという）のばらつきが記録及び再生の精度や安定性に与える影響が増大した。またレーザ光の波長のばらついた場合にも、基板の厚さがばらついた場合と同様の問題が発生することが知られている。
【０００４】
前記光ディスクへの情報の記録や再生における精度や安定性向上のため光ディスク記録再生装置の一部には、光ディスクの基板の厚さのばらつきによる球面収差をホログラム素子を用いて厚さ誤差信号として検出しトラッキングオフセットを調整する構成が考えられている（例えば、特許文献１参照。）。
【０００５】
一方、光ディスク基板の厚さのばらつき以外にもＣＤやＤＶＤの規格外の独自の厚さの基板が市場に出現している。光ディスクの基板の厚さがＣＤやＤＶＤの規格と異なる顕著な例として、Dual Disc（デュアルディスク）と呼ばれる一方の面がＤＶＤ規格に準じた情報記録面で、他方の面が「非ＤＶＤ面」あるいは「音楽専用面」と呼ばれるＣＤ規格に準拠していない擬似的なＣＤの情報記録面で構成された光ディスクがある。その「非ＤＶＤ面」あるいは「音楽専用面」と呼ばれるＣＤ規格に準拠していない情報記録面側の基板の厚さは約０．９ｍｍであってＣＤ規格である１．２ｍｍよりも薄い。従ってＣＤ規格に準拠した再生レベルに設定された光ディスク記録再生機では再生できない虞がある。
【０００６】
図６は、ＣＤ規格の光ディスクに照射されたレーザ光が情報記録面で反射され、その反射光が集光され非点収差法により受光される光検出器上のスポット形状を模式的に示した図である。光検出器５０は４分割された受光部５０ａ〜５０ｄを備えている。図６（ａ）はレーザ光の合焦点位置が情報記録面から基板表面側に僅かにずれた位置（デフォーカス位置）にある場合、図６（ｂ）は合焦点位置が情報記録面に位置している場合、図６（ｃ）は合焦点位置が情報記録面から基板表面と反対側に僅かにずれた位置（デフォーカス位置）にある場合である。
【０００７】
図７は、前述したデュアルディスクの「非ＤＶＤ面」あるいは「音楽専用面」と呼ばれるＣＤ規格に準拠していない情報記録面側に照射されたレーザ光が情報記録面で反射され、その反射光が集光され、受光される光検出器上のスポット形状を図６との違いが明確になるように模式的に示した図である。図７（ａ）、（ｂ）、（ｃ）は図６（ａ）、（ｂ）、（ｃ）と同様な位置関係を表している。デュアルディスクの場合は収差が発生するためにＣＤ規格の光ディスクに比べて情報記録面前後のデフォーカス位置におけるスポット形状の変化が小さいことがわかる。
【０００８】
図８はフォーカスエラー信号の大きさとデフォーカス量の関係を示した図である。受光部５０ａ〜５０ｄの出力信号をそれぞれＡ、Ｂ、Ｃ、Ｄとすると、フォーカスエラー信号ＦＥはＦＥ＝（Ａ＋Ｃ）−（Ｂ＋Ｄ）で表される。図８（ａ）は図５の場合（ＣＤ規格の光ディスク）を、図８（ｂ）は図７の場合（デュアルディスク）をそれぞれ示している。図８（ａ）に比較して図８（ｂ）は、フォーカスエラー信号が半分以下となってしまう。これは前述したようにデュアルディスクの場合はＣＤ規格の光ディスクに比べて情報記録面前後のデフォーカス位置におけるスポット形状の変化が小さいためである。このような状態ではデータ再生信号（ＲＦ信号）波形のジッタが大きくなり、精度良く再生することができなくなってしまう虞があった。
【特許文献１】特開２００１−２７３６４８号公報
【発明の開示】
【発明が解決しようとする課題】
【０００９】
光ディスクの基板の厚さのばらつきによる球面収差を補正するために光ピックアップ内にホログラム素子を用いたり、またリレーレンズを用いたりして球面収差の大きさを測定し、測定値を用いて補正する方法が取られていたが、球面収差を測定するための構成部品は光ピックアップの小型化やコスト低減の支障となっていた。
【００１０】
光ディスクの基板の厚さがばらついていたりＣＤあるいはＤＶＤの標準規格と異なる厚さであることにより生ずる収差のために引き起こされる記録再生の性能低下を防止する上で、収差を検出するための検出器を必要とせず、簡便な構成で性能低下を防止する光ディスク記録再生機が望まれていた。
【００１１】
本発明は上記問題点を解決するためになされたもので、光ディスクの厚さのばらつきを間接的に測定することによって、その測定値に応じてフォーカスオフセットもしくはフォーカスバランスあるいはＲＦイコライザなどを変更して記録及び再生の性能を向上することができる光ディスク記録再生機を提供することを目的とする。
【課題を解決するための手段】
【００１２】
上記目的を達成するために、本発明の光ディスク記録再生装置は、光ディスクの情報記録面上にレーザ光を集光させるための対物レンズと前記光ディスクからの反射光を受光する分割された受光部を備えた光検出器とを有する光ピックアップと、前記光検出器の出力信号からフォーカスエラー信号を生成するフォーカスエラー信号生成手段と、前記光検出器の出力信号から全加算信号を生成する全加算信号生成手段と、前記フォーカスエラー信号と前記全加算信号との比率を算出する比率算出手段と、前記比率算出手段によって得られた前記比率と予め設定された第１の閾値とを比較する比較手段と、前記比較手段によって算出された値に応じて前記対物レンズのフォーカス点と前記フォーカスエラー信号によるフォーカス点とのずれ量を補正するフォーカスオフセット調整値を設定するフォーカスオフセット調整手段とを有することを特徴とする。
【００１３】
また、本発明の光ディスク記録再生装置は、光ディスクの情報記録面上にレーザ光を集光させるための対物レンズと前記光ディスクからの反射光を受光する分割された受光部を備えた光検出器とを有する光ピックアップと、前記光検出器の出力信号からフォーカスエラー信号を生成するフォーカスエラー信号生成手段と、前記光検出器の出力信号から全加算信号を生成する全加算信号生成手段と、前記光検出器の出力信号から再生信号を生成する再生信号生成手段と前記フォーカスエラー信号と前記全加算信号との比率を算出する比率算出手段と、前記比率算出手段によって得られた前記比率と予め設定された第１の閾値とを比較する比較手段と、前記比較手段によって算出された値に応じて前記再生信号の高域成分の振幅の大きさを調整するＲＦイコライザ調整値を設定するＲＦイコライザ調整手段とを有することを特徴とする。
【発明の効果】
【００１４】
本発明によれば、光ディスクへの情報の記録や情報の再生の性能を向上することができる。
【発明を実施するための最良の形態】
【００１５】
以下本発明の実施例について図面を参照しながら説明する。
【実施例１】
【００１６】
図１は、この発明が適用される光ディスク記録再生装置１の構成を示すブロック図である。光ディスク２は、ユーザデータを記録可能な光ディスクあるいは読出し専用の光ディスクである。光ディスク２の表面にはスパイラル状にランドトラックおよびグループトラックが形成されており、この光ディスク２はディスクモータ３によって回転駆動される。ディスクモータ３はディスクモータ制御回路４によって制御されている。
【００１７】
光ディスク２に対する情報の記録、再生は、光ピックアップ５によって行われる。光ピックアップ５は、スレッドモータ６とギア等を含む連結部８を介して連結されている。このスレッドモータ６はスレッドモータ制御回路９により制御される。
【００１８】
スレッドモータ制御回路９には速度検出器７が接続され、この速度検器７により検出される光ピックアップ５の速度信号がスレッドモータ制御回路９に送られる。スレッドモータ６がスレッドモータ制御回路９によって制御され、スレッドモータ６が発生する駆動力によって光ピックアップ５が光ディスク２の半径方向に移動されるようになっている。
【００１９】
光ピックアップ５には、図示しないワイヤあるいは板バネによって可動可能に支持された対物レンズ１０が設けられる。対物レンズ１０は、フォーカス方向駆動コイル１１の駆動によりフォーカスシング方向（レンズの光軸方向）への移動が可能で、またトラック方向駆動コイル１２の駆動によりトラッキング方向（レンズの光軸と直交する方向）への移動が可能である。
【００２０】
変調回路１３は情報記録時にホスト装置３７からインターフェース回路３６を介して供給されるデータを８−１４変調（ＥＦＭ）し、変調されたデータをレーザ制御回路１４へ提供する。レーザ制御回路１４は情報記録時（マーク形成時）に、変調回路１３から供給されるＥＦＭデータに基づいて、書き込み用信号を半導体レーザダイオード１５に供給する。
【００２１】
半導体レーザダイオード１５は、レーザ制御回路１４から供給される信号に応じてレーザ光を発生する。半導体レーザダイオード１５から発せられるレーザ光１６は、コリメートレンズ１７、ハーフプリズム１８、対物レンズ１０を介して光ディスク２上に照射される。光ディスク２からの反射光１９は、対物レンズ１０、ハーフプリズム１８、集光レンズ２０、シリンドリカルレンズ２１を介して光検出器２２に導かれる。
【００２２】
光検出器２２は、４分割の受光部２２ａ〜２２ｄから構成され、これらの出力信号は、電流／電圧変換用のアンプ２３ａ〜２３ｄ、加算器２４ａ〜２４ｄを介して差動アンプ（ＯＰ１）２５，差動アンプ（ＯＰ２）２７に供給される。
【００２３】
差動アンプ（ＯＰ１）２５は、加算器２４ａ，２４ｂの両出力信号の差に応じた、フォーカスエラー信号（ＦＥ）を出力する。この出力は、フォーカスシング制御回路２６に供給される。フォーカスシング制御回路２６の出力信号は，フォーカス方向駆動コイル１１に供給される。これにより、レーザ光１６が光ディスク２の情報記録面上に常時ジャストフォーカスとなるように対物レンズ１０の制御がなされる。
【００２４】
差動アンプ（ＯＰ２）２７は、加算器２４ｃ，２４ｄの両出力信号の差に応じたトラッキングエラー信号（ＴＥ）を出力する。この出力はトラッキング制御回路２８に供給される。トラッキング制御回路２８の出力信号は、トラック方向駆動コイル１２に供給される。また、トラッキング制御回路２８で用いられるトラッキングエラー信号が、スレッドモータ制御回路９に供給される。
【００２５】
トラッキング制御回路２８によって対物レンズ１０が制御されているとき、スレッドモータ制御回路９により対物レンズ１０が光ピックアップ５内の中心位置近傍に位置するようにスレッドモータ６、つまり光ピックアップ５の光ディスク２の半径方向の移動が制御される。
【００２６】
光検出器２２の受光部２２ａ〜２２ｄの出力信号の和信号、つまり加算器２４ｃ，２４ｄの両出力信号を加算する加算器２４ｅは再生信号生成手段を構成し、この加算された再生信号（ＲＦ）には、光ディスク２に記録されたピット（記録データ）からの反射率の変化が反映される。この再生信号（ＲＦ）は、データ再生回路２９に供給される。
【００２７】
データ再生回路２９は、ＰＬＬ回路３０からの再生用クロック信号に基づき、記録データを再生する。また、データ再生回路２９は再生信号（ＲＦ）の振幅を測定する機能を有し、該測定値はＣＰＵ３２によって読み出される。
【００２８】
データ再生回路２９で再生された再生データは、付与されているエラー訂正コードを用いてエラー訂正回路３５でエラー訂正を行った後、インターフェース回路３６を介してホスト装置３７に出力される。
【００２９】
加算アンプ（ＯＰ３）３８は、加算器２４ｃ，２４ｄの出力信号の和信号である全加算信号を生成する。加算アンプ（ＯＰ３）３８の出力はバス３１を通してＣＰＵ３２に送信される。
【００３０】
ディスクモータ制御回路４、スレッドモータ制御回路９、変調回路１３，レーザ制御回路１４、ＰＬＬ回路３０、データ再生回路２９、フォーカスシング制御回路２６、トラッキング制御回路２８等は，サーボ制御回路としての１つのＬＳＩチップ内に構成することができ、またこれら回路は、バス３１を介してＣＰＵ３２によって制御される。ＣＰＵ３２はインターフェース回路３６を介してホスト装置３７から供給される動作コマンドに従って、この光ディスク記録再生装置１を総合的に制御する。また、ＣＰＵ３２は、ＲＡＭ３３を作業エリアとして使用し、ＲＯＭ３４に記録されたこの発明を含めたプログラムに従った所定の制御を行う。
【００３１】
ＣＰＵ３２は、バス３１を通してフォーカシング制御回路２６からの出力信号を監視するとともに差動アンプ（ＯＰ１）２５から出力されたフォーカスエラー信号を受信し、フォーカスエラー信号の振幅値ＦＥｐｐとしてＲＡＭ３３に記憶する。またＣＰＵ３２は、バス３１を通して加算アンプ（ＯＰ３）３８から全加算信号を受信し、全加算信号の振幅値ＡＤｐｐとしてＲＡＭ３３に記憶する。
【００３２】
ＣＰＵ３２は、ＲＡＭ３３に記憶したＦＥｐｐとＡＤｐｐの値から比率を算出する比率算出手段としての機能を有する。比率ＦＥｎｍはＦＥｐｐをＡＤｐｐで除することによって得られる値であり、算出されたＦＥｎｍはＲＡＭ３３に記憶される。
【００３３】
またＣＰＵ３２は、ＲＯＭ３４に記憶されたプログラム内の所定の第１の閾値Ｒ１と前述したＦＥｎｍを比較する比較手段の機能を有し大小判断及びその差を算出する。またＣＰＵ３２は、ＲＯＭ３４に記憶されたプログラム内の所定の第２の閾値Ｒ２と前述したＦＥｎｍを比較し大小判断及びその差を算出する。ＲＯＭ３４に記憶された前記第１の閾値Ｒ１と第２の閾値Ｒ２については後述する。
【００３４】
さらにＣＰＵ３２は、比較手段によって算出された第１の閾値Ｒ１とＦＥｎｍの大小および差に基づいてＲＯＭ３４に記憶されたフォーカスオフセット調整値もしくはフォーカスバランス調整値を参照しながら前記対物レンズ１０のフォーカス点と前記フォーカスエラー信号によるフォーカス点とのずれ量を補正するフォーカスオフセット調整値もしくはフォーカスバランス調整値を設定する。またＣＰＵ３２は、ＲＯＭ３４に記憶されたＲＦイコライザ調整値を参照しながら再生信号の高域成分の振幅の大きさを調整するＲＦイコライザ調整値を設定し、データ再生回路２９の内部にＲＦ信号が２値化される前段階に設けられたＲＦイコライザ回路（図示せず）を制御する。前記高域成分の振幅の大きさを調整することによって再生信号の２値化後のジッタを小さくする。
【００３５】
図２は、光ディスクの厚さのばらつきを間接的に測定することによってフォーカスオフセットもしくはフォーカスバランスを調整する際のフローチャートである。最初にＳ１において、光ディスク２の有無を認識する。
【００３６】
Ｓ２において、対物レンズ１０を光ディスク２の表面から一旦遠ざけるレンズダウンの動作を行う。Ｓ３において、レーザ光を発光し光ディスク２に向けてレーザ光１６を照射する。Ｓ４において、徐々に対物レンズ１０を光ディスク２の表面に近づけていくというレンズアップの動作を行う。
【００３７】
Ｓ５において、ＣＰＵ３２が、差動アンプ（ＯＰ１）２５からのフォーカスエラー信号をフォーカシング制御回路２６及びバス３１を介して受信し、フォーカスエラー信号の振幅を測定する。その後ＣＰＵ３２は、測定したフォーカスエラー信号の振幅値ＦＥｐｐをＲＡＭ３３に記憶する。
【００３８】
Ｓ６において、ＣＰＵ３が、加算アンプ（ＯＰ３）３８からの全加算信号をバス３１を経由して受信し、全加算信号の振幅を測定する。その後ＣＰＵ３２は、測定した全加算信号の振幅値ＡＤｐｐをＲＡＭ３３に記憶する。
【００３９】
Ｓ７において、ＣＰＵ３２は、ＲＡＭ３３に記憶したＦＥｐｐの値をＡＤｐｐの値で除することによって比率ＦＥｎｍを得る。算出されたＦＥｎｍはＲＡＭ３３に記憶される。比率ＦＥｎｍは、フォーカスエラー信号を全加算信号で除した値である。
【００４０】
フォーカスエラー信号は、図７で示したように、例えばデュアルディスクのような基板の厚さが規格と異なっている光ディスクの場合は、フォーカスエラー信号のレベルが半分以下となってしまうような場合がある。また基板の厚さがばらつくことによってフォーカスエラー信号の大きさは変動する。ところが、基板の厚さがばらつかなくても、例えば光量（光検出器に届くレーザ光量）が小さくなってもフォーカスエラー信号のレベルが半分になってしまうことが起きる。光量が小さくなる原因は、レーザ光の発光量の低下、光ディスクの情報記録面の反射率の低下、光ディスク表面の汚れ等種々ある。
【００４１】
フォーカスエラー信号のレベルが低下した場合、基板の厚さのばらつきが原因なのか、光量の低下が原因なのか特定できないが、フォーカスエラー信号を全加算信号で除することによって、光量の変動による要因を取り除くことができる。全加算信号のレベルは基板の厚さのばらつきの影響を殆ど受けないが、光量のばらつきの影響をほぼ直接的に受けるからである。従ってフォーカスエラー信号を全加算信号で除した値である比率ＦＥｎｍの変動は、光ディスクの厚さのばらつきを間接的に表していることになる。
【００４２】
Ｓ８において、ＣＰＵ３２は、ＲＯＭ３４に記憶された所定の第１の閾値Ｒ１及び第２の閾値Ｒ２と前述したＦＥｎｍを比較し、その差を算出する。第１の閾値Ｒ１は、ＦＥｎｍの値が第１の閾値Ｒ１より小さい場合、基板の厚さのばらつきがある範囲を超えていることを示す閾値である。また第２の閾値Ｒ２は、ＦＥｎｍの値が第２の閾値Ｒ２より大きい場合、基板の厚さのばらつきがある範囲を超えていることを示す閾値である。ＦＥｎｍの値の基礎となっているＦＥｐｐ及びＡＤｐｐの振幅値を生成している差動アンプ（ＯＰ１）２５およびフォーカシング制御回路２６や加算アンプ（ＯＰ３）３８のゲインによって、ＦＥｎｍの値は任意に設定できるから、第１の閾値Ｒ１と第２の閾値Ｒ２は、前記ゲインによって設定値が決められる。
【００４３】
一例として、ＣＤの規格に合致した標準ディスクを使用して設定する場合に、ＦＥｐｐが約２Ｖとなるように差動アンプ（ＯＰ１）２５およびフォーカシング制御回路２６の総合的なゲインを設定し、ＡＤｐｐが約０．５Ｖとなるように加算アンプ（ＯＰ３）３８のゲインのゲインを設定したとすると、ＦＥｎｍは２Ｖ／０．５Ｖ＝４となる。このように設定された状態において、基板の厚さが規格より薄い光ディスクが装着され、フォーカスエラー信号の振幅が半分になった場合を想定するとＦＥｎｍは１Ｖ／０．５Ｖ＝２となる。ここで例えば閾値Ｒ１を２．５に設定するとＲ１＞ＦＥｎｍ、ＦＥｎｍ−Ｒ１＝−０．５となり、この場合はフォーカスオフセットもしくはフォーカスバランスを変更する工程へ移ることになる。
【００４４】
Ｓ８において、Ｒ１＜ＦＥｐｐ＜Ｒ２ならば基板の厚さのばらつきは許容範囲内であると判断されＳ９へ移り、そうでないならばＦＥｐｐと第１の閾値Ｒ１あるいは第２の閾値Ｒ２との差を算出し、Ｓ１１へ移る。Ｓ９はフォーカスオフセットを変更することなく自動調整の範囲内で調整を行う。次にＳ１０へ移って通常動作を行う。
【００４５】
Ｓ１１において、ＣＰＵ３２はフォーカスオフセットの調整値を設定し調整を行う。フォーカスオフセットの調整値もしくはフォーカスバランス調整値は予めＲＯＭ３４に保存されたフォーカスオフセット調整値テーブル４０もしくは図示しないフォーカスバランス調整値テーブルから選択する。Ｓ８にて算出されたＦＥｎｍと第１の閾値Ｒ１あるいは第２の閾値Ｒ２との差に基づいて前記テーブルから調整値を選択する。選択された調整値はフォーカシング制御回路２６に送信され、基板の厚さのばらつきのレベルにあわせて対物レンズを制御する。その後Ｓ１０へ移って通常動作に移る。
【００４６】
ＲＯＭ３４は、複数の所定のフォーカスオフセット調整値もしくはフォーカスバランス調整値を記憶するフォーカスオフセット調整値記憶手段としての機能を有する。光ディスク記録再生装置１はその製造工程あるいは出荷後にユーザがデータを記録再生する前の段階で行われるフォーカスオフセット調整値を設定するための事前学習にて、特定の種々の評価用光ディスクの記録再生を行い、基板の厚さや情報記録面の反射率のばらつきのレベルに応じたフォーカスオフセット調整値及びそれに対応したＦＥｎｍと第１の閾値Ｒ１あるいは第２の閾値Ｒ２との差をＲＯＭ３４のフォーカスオフセット調整値テーブル４０もしくはフォーカスバランス調整値テーブルに記憶する。
【００４７】
図３は、フォーカスオフセット調整値テーブル４０の一例を示した図である。ＦＥｎｍが第１の閾値Ｒ１より小さく（ＦＥｎｍ＜Ｒ１）、その差（ＦＥｎｍ−Ｒ１）の大きさによってフォーカスオフセット調整値が設定されている。図３では前記差がＤｆ１のときのフォーカスオフセット調整値はＦｏ１であり、Ｄｆｎのときのフォーカスオフセット調整値はＦｏｎであることを示している。この場合はｎ段階の調整値があるが、細かく調整する必要がない場合には、２段階の調整値としたり、また更に単純化してＦＥｎｍ＜Ｒ１の場合はその差に関係なくフォーカスオフセット調整値を１個の設定値に固定することも場合よっては可能である。
【００４８】
以上のようにフォーカスエラー信号を全加算信号で除した値である比率ＦＥｎｍを算出し、光ディスク２の厚さのばらつきを間接的に測定し、その値と予め設定した第１の閾値Ｒ１あるいは第２の閾値Ｒ２と比較し、許容範囲を超えている場合には予め学習によって設定したフォーカスオフセット調整値テーブル４０から適当な値を選択しフォーカスオフセットを調整することによって、再生波形のジッタが小さくなり記録及び再生の性能を向上することができる。
【実施例２】
【００４９】
図４は、光ディスクの厚さのばらつきを間接的に測定することによってＲＦイコライザを調整する際のフローチャートである。この実施例２の各部について、図２に示す実施例１の各部と同一部分は同一符号である。この実施例２が実施例１と異なる点は、図２のＳ１１のフォーカスオフセットもしくはフォーカスバランス調整値設定を図４においてはＳ１２のＲＦイコライザ調整値設定に代えていることにある。Ｓ１からＳ８までは実施例１と共通であるので省略する。
【００５０】
Ｓ１２において、ＣＰＵ３２はＲＦイコライザの調整値を設定し調整を行う。ＲＦイコライザの調整値は予めＲＯＭ３４に保存されたＲＦイコライザ調整値テーブル４１から選択する。Ｓ８において算出されたＦＥｎｍと第１の閾値Ｒ１あるいは第２の閾値Ｒ２との差に基づいて前記テーブルから調整値を選択する。選択された調整値はデータ再生回路２９に送信され、基板の厚さのばらつきのレベルにあわせてＲＦの高周波成分の振幅の大きさをブーストして調整することによってＲＦ信号を２値化したときのジッタを改善する。その後Ｓ１０へ移って通常動作に移る。
【００５１】
ＲＯＭ３４は、複数の所定のＲＦイコライザ調整値を記憶するＲＦイコライザ調整値記憶手段としての機能を有する。光ディスク記録再生装置１はその製造工程あるいは出荷後にユーザがデータを記録再生する前の段階で行われるＲＦイコライザ調整値を設定するための事前学習にて、特定の種々の評価用光ディスクの記録再生を行い、基板の厚さや情報記録面の反射率のばらつきのレベルに応じたＲＦイコライザ調整値及びそれに対応したＦＥｎｍと第１の閾値Ｒ１あるいは第２の閾値Ｒ２との差をＲＯＭ３４のＲＦイコライザ調整値テーブル４１に記憶する。
【００５２】
図５は、ＲＦイコライザ調整値テーブル４１の一例を示した図である。ＦＥｎｍが第１の閾値Ｒ１より小さく（ＦＥｎｍ＜Ｒ１）、その差（ＦＥｎｍ−Ｒ１）の大きさによってＲＦイコライザ調整値が設定されている。図５では前記差がＤｆ１のときのＲＦイコライザ調整値はＥｑ１であり、ＤｆｎのときのＲＦイコライザ調整値はＥｑｎであることを示している。この場合はｎ段階の調整値があるが、細かく調整する必要がない場合には、２段階の調整値としたり、また更に単純化してＦＥｎｍ＜Ｒ１の場合はその差に関係なくＲＦイコライザ調整値を１個の設定値に固定することも場合によっては可能である。
【００５３】
以上のようにフォーカスエラー信号を全加算信号で除した値である比率ＦＥｎｍを算出し、光ディスク２の厚さのばらつきを間接的に測定し、その値を予め設定した第１の閾値Ｒ１あるいは第２の閾値Ｒ２と比較し、許容範囲を超えている場合には予め学習によって設定したＲＦイコライザ調整値テーブル４１から適当な値を選択しＲＦイコライザを調整することによって、再生波形のジッタが小さくなり記録及び再生の性能を向上することができる。
【図面の簡単な説明】
【００５４】
【図１】この発明が適用される光ディスク記録再生装置１の構成を示すブロック図。
【図２】フォーカスオフセットもしくはフォーカスバランスを調整する際のフローチャート。
【図３】フォーカスオフセット調整値テーブルの一例を示した図。
【図４】ＲＦイコライザを調整する際のフローチャート。
【図５】ＲＦイコライザ調整値テーブルの一例を示した図。
【図６】ＣＤ規格の光ディスクの場合のスポット形状を模式的に示した図。
【図７】デュアルディスクの場合のスポット形状を模式的に示した図。
【図８】フォーカスエラー信号の大きさとデフォーカス量の関係を示した図。
【符号の説明】
【００５５】
１  光ディスク記録再生装置
２  光ディスク・・・
５  光ピックアップ
１０  対物レンズ
１３  変調回路
１４  レーザ制御回路
１５  半導体レーザダイオード
２２  光検出器
２４ａ〜２４ｄ  加算器
２５  差動アンプ（ＯＰ１）
２６  フォーカシング制御回路
２７  差動アンプ（ＯＰ２）
２８  トラッキング制御回路
２９  データ再生回路
３０  ＰＬＬ回路
３１  バス
３２  ＣＰＵ
３３  ＲＡＭ
３４  ＲＯＭ
３６  インターフェース回路
３７  ホスト装置
３８  加算アンプ（ＯＰ３）
４０  フォーカスオフセット調整値テーブル
４１  ＲＦイコライザ調整値テーブル
【図１】
2008059703.tif 000003
【図２】
2008059703.tif 000004
【図３】
2008059703.tif 000005
【図４】
2008059703.tif 000006
【図５】
2008059703.tif 000007
【図６】
2008059703.tif 000008
【図７】
2008059703.tif 000009
【図８】
2008059703.tif 000010